(57)【要約】      （修正有）【課題】蛍光灯を用いずに、高輝度ＬＥＤを光源とすることによって省エネルギー性を高める共に明暗のムラを改善した内照式看板を提供する。【解決手段】内照式看板は、ケーシング１内には、１つ又は複数のバー３０が配設され、個々のバー３０の片面には、複数の上記高輝度ＬＥＤ３２がバー３０の長手方向に沿って互いに等間隔間隔を開けて配列され、高輝度ＬＥＤ３２の夫々には、照射範囲を拡大するレンズが設けられ、高輝度ＬＥＤ３２の照射角を１２０〜１８０度とする。各バー３０は、枠体の上下或いは左右の側面部に沿って配列され、最も当該沿う側面部寄り配設されたバー３０は、当該沿う側面部と当該バー３０が備える高輝度ＬＥＤ３２との間の間隔を、当該バー３０の高輝度ＬＥＤ３２間の間隔の１．５倍以下とする。【選択図】図１
0003164102.tif 000002
【実用新案登録請求の範囲】
【請求項１】
中空のケーシングと、ケーシング内に設けられ電気の供給を受けて光る光源と、この光源に電気を供給する電源とを備え、ケーシングは、正面と背面の少なくとも何れか一方に設けられて当該光源からの光を透過する広告面と、上下左右の側面部を形成する枠体とを備え、光源は複数の高輝度ＬＥＤから構成された内照式看板において、
ケーシング内には、１つ又は複数のバーが配設され、
個々のバーの片面には、複数の上記高輝度ＬＥＤがバーの長手方向に沿って互いに等間隔を開けて配列され、
高輝度ＬＥＤの夫々には、照射範囲を拡大するレンズが設けられ、高輝度ＬＥＤの照射角を１２０〜１８０度とするものであり、
バーは、枠体の上下或いは左右の側面部に沿って配列され、最も当該沿う側面部寄りに配設されたバーは、当該沿う側面部とバーが備える高輝度ＬＥＤとの間の間隔を、当該バーの高輝度ＬＥＤ間の間隔の１．５倍以下とするものであることを特徴とする内照式看板。
【請求項２】
バーの長手方向と交差するケーシングの側面部に対し、最も当該側面部寄りに配置されたバーにおいて、このバーが備える最も当該側面部寄りに配置された高輝度ＬＥＤと、当該側面部との間の間隔は、バーの高輝度ＬＥＤ間の間隔の１．５倍以下とするものであることを特徴とする請求項１に記載の内照式看板。
【請求項３】
バーの長手方向に沿って配列された上記高輝度ＬＥＤについて、夫々、光束８０〜１２０ｌｍとし色温度２８００〜１００００Ｋとするものであり、一つのバーの高輝度ＬＥＤ間の間隔は、１５０〜３５０ｍｍであることを特徴とする請求項２記載の内照式看板。
【請求項４】
ケーシング内において、各高輝度ＬＥＤと照射する広告面との間の間隔は、当該バーの高輝度ＬＥＤ間の間隔の０．４倍以上０．７５倍以下とすることを特徴とする請求項３記載の内照式看板。
【請求項５】
ケーシング内において、一つの広告面に向け、上記のバーが複数並べられ、
高輝度ＬＥＤと当該高輝度ＬＥＤが照射する広告面との間の間隔は、当該高輝度ＬＥＤが設けられたバーにおいて複数の高輝度ＬＥＤがなす列と、当該バーと隣り合うバーの複数の高輝度ＬＥＤとがなす列の、両列間の間隔の０．４倍以上０．７５倍以下とすることを特徴とする請求項４記載の内照式看板。
【請求項６】
ケーシングの正面と背面とに広告面が設けられ、
ケーシング内には、高輝度ＬＥＤの配列面をケーシング正面側へ向ける正面照射バーと、高輝度ＬＥＤの配列面をケーシング背面側へ向ける背面照射バーとが、背中合わせに配列されたものであることを特徴とする請求項５に記載の内照式看板。
【請求項７】
中空のケーシングと、ケーシング内に設けられ電気の供給を受けて光る光源と、この光源に電気を供給する電源とを備え、ケーシングは、当該光源からの光を透過する広告面を正面と背面の両面に有するものであり、光源は複数の高輝度ＬＥＤから構成された内照式看板において、
ケーシング内には、ケーシングの正面と背面との間を光が通過することができる隙間を開けて、複数のバーが配設され、
上記バー間の隙間は、バーの高輝度ＬＥＤが設けられた面において、バーの長手方向と直交する方向の幅の１〜９倍であり、
各バーの片面には、複数の上記高輝度ＬＥＤがバーの長手方向に沿って互いに間隔を開けて配列され、
高輝度ＬＥＤの夫々は、照射範囲を拡大するレンズが設けられ、
ケーシング内において、複数のバーうち一部のバーは、高輝度ＬＥＤの配列面をケーシング正面側へ向ける正面照射バーであり、複数のバーうち他の少なくとも一部のバーは、高輝度ＬＥＤの配列面をケーシング背面側へ向ける背面照射バーであり、
正面照射バーと背面照射バーとは、背中合わせに配列されたものであり、
ケーシングの各広告面は、アクリル製の面板にて形成されたものであり、
レンズが設けられた高輝度ＬＥＤは、夫々照射角を１３０〜１７０度とするものであることを特徴とする内照式看板。
【考案の詳細な説明】
【技術分野】
【０００１】
本願考案は、内照式看板の改良に関するものである。
【背景技術】
【０００２】
光源が内設された内照式看板について、省エネルギーや、寿命が長いという観点から、近年、蛍光灯に置き換えての光源にＬＥＤを採用する傾向が著しく増大している。特に、蛍光灯と同じ筒状に形成され、蛍光灯のソケットを利用して、蛍光灯が設けられていたスペースにそのまま配置することができる、直管蛍光灯形のＬＥＤランプが、種々提案されている（特許文献１）。
【０００３】
しかし、直管蛍光灯形のＬＥＤランプは、従来の蛍光灯のように、その軸方向と直交する全ての方向に向けて光を放出するというものではなく、その軸方向と直交する方向について特定の範囲にのみ光を放出する、偏ったものであるため、上記の蛍光灯型のＬＥＤを、蛍光灯のソケットを利用して、従来の蛍光灯と置き換えると、暗く感じるものであった。また、複数の蛍光灯が配列された内照式看板において、蛍光灯を上記蛍光灯形に置き換える場合、ムラなく広告を照らそうとすれば、従来の蛍光灯よりも、多くの本数を必要とし、従来の蛍光灯と同じレイアウトで済ませることはできない。看板の改修時に、蛍光灯を単に直管蛍光灯形のＬＥＤランプと置き換えても、思ったほど省エネルギーの効果は得られていないのである。
また、高輝度ＬＥＤの採用により、輝度を増したとしても、広告面のＬＥＤに近い部分と遠い部分との明暗の差が際立つものとなってしまう。もともと従来の蛍光灯を光源とする場合においても、蛍光灯のある部分とない部分とでは明暗の差があり、この差を解消しようとすれば、光を拡散する何らかの手段を講ずる必要があった。この明暗の差は、単に、上記の直管蛍光灯形のＬＥＤランプを用いたとしても、改善されるものではなく、高輝度ＬＥＤを用いることにより却ってその差は際立ったものとなってしまうのであった。
【先行技術文献】
【特許文献】
【０００４】
【特許文献１】特開２０１０−１４０８４３号公報
【考案の概要】
【考案が解決しようとする課題】
【０００５】
本願考案は、従来蛍光灯を光源としていた内照式看板において、蛍光灯に代えて高輝度ＬＥＤを利用することにより、蛍光灯に比べて高い省エネルギー効果を得つつも、広告面の明暗のムラを抑えた内照式看板の提供を図る。
【課題を解決するための手段】
【０００６】
本願の請求項１に係る考案は、中空のケーシングと、ケーシング内に設けられ電気の供給を受けて光る光源と、この光源に電気を供給する電源とを備え、ケーシングは、正面と背面の少なくとも何れか一方に設けられて当該光源からの光を透過する広告面と、上下左右の側面部を形成する枠体とを備え、光源は複数の高輝度ＬＥＤから構成された内照式看板において、次の構成を採るものを提供する。
即ち、ケーシング内には、１つ又は複数のバーが配設され、個々のバーの片面には、複数の上記高輝度ＬＥＤがバーの長手方向に沿って互いに等間隔を開けて配列され、高輝度ＬＥＤの夫々には、照射範囲を拡大するレンズが設けられ、高輝度ＬＥＤの照射角を１２０〜１８０度とするものである。バーは、枠体の上下或いは左右の側面部に沿って配列され、最も当該沿う側面部寄りに配設されたバーは、当該沿う側面部とバーが備える高輝度ＬＥＤとの間の間隔を、当該バーの高輝度ＬＥＤ間の間隔の１．５倍以下とするものである。
尚、上記の電源は、外部から電気を導き光源へ供給する回路をいい、交流電流を直流電流に変換するコンバータを備えるものを含む。但し、電源は、上記コンバータを備える回路に限定するものではなく、交流電流の直流への変換は、看板外部のコンバータに頼るものとし、電源は、当該外部のコンバータによる変換後の電流を光源へ伝達するのみの回路であってもよい。更に、光源に供給する電流自体、直流に限るものではなく、上記電源には、このように直流でない電流を供給する回路を含む。また、ここで照射角とは、ＬＥＤが発する光の光軸を中心として略円錐状に広がる当該光について、当該光軸を挟む、上記円錐の母線間の角度である。
【０００７】
本願の請求項２に係る考案では、上記本願の請求項１に係る考案にあって、バーの長手方向と交差するケーシングの側面部に対し、最も当該側面部寄りに配置されたバーにおいて、このバーが備える最も当該側面部寄りに配置された高輝度ＬＥＤと、当該側面部との間の間隔は、バーの高輝度ＬＥＤ間の間隔の１．５倍以下とするものであることを特徴とする内照式看板を提供する。
【０００８】
本願の請求項３に係る考案では、上記本願の請求項２に係る考案にあって、バーの長手方向に沿って配列された上記高輝度ＬＥＤについて、夫々、光束８０〜１２０ｌｍとし色温度２８００〜１００００Ｋとするものであり、一つのバーにおいて隣り合う高輝度ＬＥＤ間の間隔は、１５０〜３５０ｍｍであることを特徴とする内照式看板を提供する。
【０００９】
本願の請求項４に係る考案では、上記本願の請求項３に係る考案にあって、ケーシング内において、各高輝度ＬＥＤと照射する広告面との間の間隔は、当該バーの高輝度ＬＥＤ間の間隔の０．４倍以上０．７５倍以下とすることを特徴とする内照式看板を提供する。
【００１０】
本願の請求項５に係る考案では、上記本願の請求項４に係る考案にあって、ケーシング内において、一つの広告面に向け、上記のバーが複数並べられ、高輝度ＬＥＤと当該高輝度ＬＥＤが照射する広告面との間の間隔は、当該高輝度ＬＥＤが設けられたバーにおいて複数の高輝度ＬＥＤがなす列と、当該バーと隣り合うバーの複数の高輝度ＬＥＤとがなす列の、両列間の間隔の０．４倍以上０．７５倍以下とするものであることを特徴とする内照式看板を提供する。
【００１１】
本願の請求項６に係る考案では、上記本願の請求項５に係る考案にあって、ケーシングの正面と背面とに広告面が設けられ、ケーシング内には、高輝度ＬＥＤの配列面をケーシング正面側へ向ける正面照射バーと、高輝度ＬＥＤの配列面をケーシング背面側へ向ける背面照射バーとが、背中合わせに配列されたものであることを特徴とする内照式看板を提供する。
【００１２】
本願の請求項７に係る考案は、中空のケーシングと、ケーシング内に設けられ電気の供給を受けて光る光源と、この光源に電気を供給する電源とを備え、ケーシングは、当該光源からの光を透過する広告面を正面と背面の両面に有するものであり、光源は複数の高輝度ＬＥＤから構成された内照式看板について、次の構成を採るものを提供する。
即ちこの内照式看板では、ケーシング内には、ケーシングの正面と背面との間を光が通過することができる隙間を開けて、複数のバーが配設され、上記バー間の隙間は、バーの高輝度ＬＥＤが設けられた面において、バーの長手方向と直交する方向の幅の１〜９倍であり、各バーの片面には、複数の上記高輝度ＬＥＤがバーの長手方向に沿って互いに間隔を開けて配列され、高輝度ＬＥＤの夫々は、照射範囲を拡大するレンズが設けられ、ケーシング内において、複数のバーうち一部のバーは、高輝度ＬＥＤの配列面をケーシング正面側へ向ける正面照射バーであり、複数のバーうち他の少なくとも一部のバーは、高輝度ＬＥＤの配列面をケーシング背面側へ向ける背面照射バーであり、正面照射バーと背面照射バーとは、背中合わせに配列されたものであり、ケーシングの各広告面は、アクリル製の面板にて形成されたものである。レンズが設けられた高輝度ＬＥＤは、夫々照射角を１３０〜１７０度とするものであることを特徴とする。
【考案の効果】
【００１３】
本願の請求項１〜７の考案は、従来蛍光灯を光源としていた内照式看板において、蛍光灯に代えて高輝度ＬＥＤを利用することにより、蛍光灯に比べて高い省エネルギー効果を得つつも、広告面の明暗のムラを抑えた。特に、従来の蛍光灯の看板内における光源のレイアウトを大幅に変更することなく、蛍光灯を上記の高輝度ＬＥＤに置き換えて、上記の効果を得ることを可能とした。
【図面の簡単な説明】
【００１４】
【図１】（Ａ）は本願考案の一実施に係る広告面板を外した状態の看板の正面図、（Ｂ）は（Ａ）の平面図、（Ｃ）は（Ａ）のＸ−Ｘ略断面図、（Ｄ）は他の実施の形態の広告面板を外した状態の看板の正面図、（Ｅ）はまた他の実施の形態の広告面板を外した状態の看板の正面図、（Ｆ）は（Ｅ）のＹ−Ｙ断面図。
【図２】（Ａ）は本願考案に係る看板の断面を示す説明図、（Ｂ）は本願考案の看板に用いられる高輝度ＬＥＤを備えたバーの斜視図。
【図３】（Ａ）は更に他の実施の形態の広告面板を外した状態の看板の正面図、（Ｂ）は（Ａ）のＺ−Ｚ断面図。
【図４】（Ａ）は既設の内照式看板から蛍光灯を取り外す状態を示す斜視図、（Ｂ）は当該看板に高輝度ＬＥＤを備えたバーとその電源部を取り付ける状態を示す斜視図、（Ｃ）は高輝度ＬＥＤを備えたバーを看板へ取り付けた状態であって広告面板を取り付ける前の斜視図。
【考案を実施するための形態】
【００１５】
図面に基づき本願発明の実施の形態を説明する。建造物に設置する突き出し型の看板に本願発明を実施した場合を例示する図１（Ａ）〜（Ｃ）及び図２（Ａ）へ示す通り、この看板は、ケーシング１と、電源部２と、光源部３とを備える。
ケーシング１は、光源部３及び電源部２を収容する中空の本体１０と、本体１０を支持する本体支持部１１とを備える。本体支持部１１は、本体１０の側面部、特に左右何れかの側面部に設けられて、本体１０を建造物の壁面或いは電柱などのポールへ支持する。
本体１０は、看板の正面部１２（図１（Ｂ））と、看板の背面部１３（図１（Ｂ））と、枠体１４と、光源部３を支持する支持体１５とを備える。本体支持部１１は、本体１０の側部、特に左右何れかの側面部に設けられて、本体１０を建造物の壁面或いは電柱などのポールへ支持する。
【００１６】
正面部１２及び背面部１３（図１（Ｂ）及び図２（Ａ））の夫々は、広告表示部を構成する、光を透過する半透明のアクリル製の面板である。広告表示部において、広告表示層と、光を散乱させる乳半層とを、別々のシート及び板状体としてもよく、一体としてもよい。広告表示部は、アクリル乳半の他、ポリカーボネート、塩化ビニル、ＰＥＴにて形成できる。但し、広告表示部は、面板を用いて構成する以外の、例えばＦＦシート（フレキシブル・フェイス・シート）を張ることによっても実施可能である。
枠体１４は、看板の上下左右の側面部を構成し且つ正面部１２及び背面部１３を支持する金属製のフレームであり、左側面部１４ａ、右側面部１４ｂ、上側面部１４ｃ及び下側面部１４ｄを備え、正面視略矩形を呈する（図１（Ａ））。
【００１７】
光源部３は、電源部２から電気の供給を受け発光する。図１（Ａ）及び図２（Ｂ）へ示す通り、光源部３は、複数のバー３０…３０と、各バー３０の表面（片面）に取り付けられた、複数の高輝度ＬＥＤ３２のモジュール（基板）３１…３１と、制御コントローラ３３とを備える。電源部２は、電源器２０と、電源コード２１とを備え、光源部３の高輝度ＬＥＤ３２のモジュール３１と電気的に接続されて、光源部３に電気を供給する（図１（Ａ））。
バー３０の夫々は、長尺のチャンネル材にて形成されている。バー３０の素材としては、鉄や、アルミニウムを採用できる。個々のバー３０の表面において、複数の上記高輝度ＬＥＤ３２（のモジュール３１…３１）が、等間隔を開けて、バー３０の長手方向に沿って配列されている。個々のモジュール３１には、表面に１つの上記高輝度ＬＥＤ３２を備える市販のものを採用できる。
各モジュール３１を、バー３０の長手方向の端部よりバー３０が呈するチャンネルの内側に挿入し、バー３０長方向にスライドさせ、モジュール３１，３１同士間隔を開けて配置した後、ネジ留めして固定する。バー３０の、その長手方向と直交する方向の幅は、モジュール３１の幅に合わせて定めればよく、市販のモジュール３１の幅に合わせて、３〜６ｃｍとするのが好ましい。また、バー３０の厚み方向の幅は、０．５〜２ｃｍとするのが好ましい。
【００１８】
各モジュール３１の表面には、高輝度ＬＥＤ３２を覆うように、高輝度ＬＥＤ３２の照射範囲（照射角度）を広げるためのレンズが装着されている。レンズにより、高輝度ＬＥＤ３２の照射角θ（図２（Ａ））は、１２０〜１８０度とする。照射角は特に１２０〜１７０度とするのが好ましく、１５０〜１７０度とするのがより好ましく、１６０度とするのが最も好ましい。照射角θは、ＬＥＤが発する光の光軸Ｍを中心として略円錐状に広がる当該光について、上記光軸Ｍを挟む、上記円錐の母線Ｎ，Ｎ間の角度である。
高輝度ＬＥＤには、従来のＬＥＤに比べて２０〜３０倍程度の輝度を有するものを採用する。高輝度ＬＥＤ３２（モジュール３１）には、光束８０〜１２０ｌｍとし色温度２８００〜１００００Ｋの範囲にあるものを採用することができる。昼光色とする場合、高輝度ＬＥＤ３２には、色温度６０００〜７０００Ｋのものを採用すればよい。例えば昼光色とする場合、特に、高輝度ＬＥＤ３２（モジュール３１）には、光束１００ｌｍとし、色温度を６５００Ｋとするものが適する。一つのバー３０において、隣接する高輝度ＬＥＤ３２，３２間の間隔は、１５０〜３５０ｍｍとするのが好ましい。上記の図１（Ａ）へ示タイプのものでは、特に、約２００ｍｍとするのが好ましい。
【００１９】
個々のバー３０に設けられた各モジュール３１…３１同士は、コードにて電気的に接続されている。各バー３０には１つの制御コントローラ３３が設けられ、モジュール３１と電気的に接続されている。制御コントローラ３３は、バー３０単位で、高輝度ＬＥＤ３２に供給する電流を制御する、電流制御回路である。この制御コントローラ３３は、高輝度ＬＥＤ３２へ供給する電流を安定させるものであり、定電流電源を使用する場合には、設けずに実施してもよい。電源が定電流電源として駆動するとき、制御コントローラ３３は不要の場合があり、そのような場合制御コントローラ３３を設けずに実施することができる。各バー３０は、高輝度ＬＥＤ３２の上記モジュール３１と、他のバー３０の高輝度ＬＥＤ３２のモジュール３１とを電気的に接続するコネクタ３４，３４を備える。ケーシングの内部に配列されるバー３０…３０同士は、上記コネクタ３４，３４によって電気的に直列に接続され、端末のコネクタ３４は、電源部２へ接続される。
個々のバー３０を、光源部を構成するユニットとして、光源の増設や光源のレイアウトの変更は、バー３０単位で行うことができる。従って、看板のサイズや形状が変われば、バー３０の数や配置を変えて対応すればよい。
【００２０】
高輝度ＬＥＤ３２が備える上記バー３０として、本願出願人である三和サインワークス株式会社製のルクフル（登録商標）Ｖのバータイプを採用するのが好ましい。ルクフルＶのバータイプは、照射角θを１６０度とし光束１００ｌｍとし色温度を６５００Ｋとする高輝度ＬＥＤのモジュールが備えられるからである。
ルクフルＶのバータイプには、高輝度ＬＥＤ３２が３個で二次消費電力が５．１Ｗの製品名「バー３」（長さ４７０ｍｍ）をはじめ、夫々高輝度ＬＥＤが４，５，６個、夫々二次消費電力が６．８Ｗ、８．５Ｗ、１０．２Ｗの、「バー４」（長さ６７０ｍｍ）、「バー５」（長さ８７０ｍｍ）、「バー６」（長さ１０７０ｍｍ）がある。各バー３０において、配列され隣り合う高輝度ＬＥＤ３２，３２（ＬＥＤの中心）間の幅ｔは何れも２００ｍｍである（図３（Ｂ））。各バーの正面視において上記長手方向（長さ方向）と直行する幅は、３９ｍｍである。
【００２１】
概算ＶＡ（ボルト×アンペア）を２４ＶＡとする２０Ｗ（ワット）蛍光灯（銅鉄安定器）１本を、６ＶＡのルクフルＶ「バー３」２枚を正背面１対として置き換えることができ、この場合１−（６ＶＡ×2本／２４ＶＡ）＝０．５となり５０％の省エネルギー効果がある。３６ＶＡの３０Ｗの蛍光灯１本を、８ＶＡの「バー４」を正背面１対として置き換えることができ、同様の計算で５５％の省エネルギー効果がある。３９ＶＡの３２Ｗの蛍光灯１本を、１０ＶＡの「バー５」を正背面１対として置き換えることができ、４９％の省エネルギー効果がある。４９ＶＡの４０Ｗの蛍光灯１本を、１２ＶＡの「バー６」を正背面１対として置き換えることができ、５１％の省エネルギー効果がある。
【００２２】
支持体１５…１５には、各バー３０…３０が取り付けられ（図１（Ａ））、バー３０…３０をケーシング１内の所定の位置に支持する。支持体１５…１５の夫々は、枠体１４の左側面部１４ａと右側面部１４ｂとの間へ渡された棒状体であり、支持体１５…１５に対し、ネジ留め等の周知の固定手段により、各バー３０…３０同士を互いに間隔を空け上下に立てた状態に固定する。支持体１５…１５は、複数のバー３０…３０のうち一部のバー３０を正面照射バー３０ａとしてその表面をケーシング１の正面側へ向けて保持し、他のバー３０を背面照射バー３０ｂとしその表面をケーシング背面側の広告面へ向けて保持する。この実施の形態に係る看板は、正面照射バー３０ａと背面照射バー３０ｂの何れも複数備えるものである。具体的には、この看板は、正面照射バー３０ａが左右に２本平行に並べられたバー群を、上下に２群配置することにより、正面照射バー３０ａを合計４本備え（図１（Ａ））、背面照射バー３０ｂが左右に２本平行に並べられたバー郡を、上下に２群配置することにより、背面照射バー３０ｂを合計４本備える。看板に応じて、バー群の数や、そのバーの数を変更できる。
正面照射バー３０ａと背面照射バー３０ｂとは、背中合わせに配設されている。即ち、正面照射バー３０ａと背面照射バー３０ｂとは、ケーシング１内に同数設けられ、正面照射バー３０ａの裏面（高輝度ＬＥＤ３２が設けられていない面）と、背面照射バー３０ｂの裏面とは対面する。従って、広告面を外して（図１（Ａ））正面視した状態において、背面照射バー３０ｂ，３０ｂは、正面照射バー３０ａ，３０ａに重なる。
【００２３】
この実施の形態では、各バー３０の位置を安定させるために、上記支持体１５…１５の他、上下に伸びる２本の固定台１６，１６が用いられている。図１（Ａ）の左側の固定台１６は、上方のバー群に属する左側のバー３０（正面照射バー３０ａ及び背面照射バー３０ｂ）と、下方のバー群に属する左側のバー３０（正面照射バー３０ａ及び背面照射バー３０ｂ）とを一体に結合する長尺のチャンネル材である。右側の固定台１６は、上方のバー群に属する右側のバー３０（正面照射バー３０ａ及び背面照射バー３０ｂ）と、下方のバー群に属する右側のバー３０（正面照射バー３０ａ及び背面照射バー３０ｂ）とを一体に結合する長尺のチャンネル材である。両固定台１６，１６は、何れも、正面照射バー３０ａ，３０ａの裏面が取り付けられる正面側受部と、背面照射バー３０ｂ，３０ｂの裏面が取り付けられる背面側受部と、両受部間に介されて両受部を一体にする連結部とを備える。特に、上方のバー群と下方のバー群の左右方向の位置を同じとする場合、固定台１６，１６を用いるのが好ましい。
【００２４】
尚、本願考案では、上方のバー群と下方のバー群について、左右方向の位置を異なるものとするもの、例えば上方のバー群の各バーと下方バー群の各バーとを、夫々左右方向について互い違いに配置するものを含む（図示しない）。
【００２５】
バー３０…３０は、枠体１４の上下或いは左右の側面部に沿って配列され、ケーシング１内において最も当該沿う側面部寄りに配置されたバー３０は、当該沿う側面部と当該バー３０が備える高輝度ＬＥＤ３２との間の間隔ｔ１（以下必要に応じて第１間隔ｔ１と呼ぶ。）を、当該バー３０の高輝度ＬＥＤ３２，３２同士の間の間隔ｔの２倍以下とする（図１（Ａ））。具体的には、最も左寄りのバー３０が備える高輝度ＬＥＤ３２の中心と左側面部１４ａ内面との間の間隔ｔ１を、バー３０の高輝度ＬＥＤ３２，３２同士の中心間の間隔ｔ（以下必要に応じてＬＥＤ間間隔ｔと呼ぶ）の１．５倍以下とする。同様に、最も右寄りのバー３０が備える高輝度ＬＥＤ３２の中心と右側面部１４ｂとの間の間隔ｔ１を、バー３０の高輝度ＬＥＤ３２，３２の中心間の間隔ｔの１．５倍以下とする。第１間隔ｔ１がＬＥＤ間間隔ｔの１．５倍を越えると、広告面の他の部位に比べ、バー３０が沿う枠体１４の側面部付近が、著しく暗くなることが視認された。上記の高輝度ＬＥＤ３２の中心とは、前述のＬＥＤ表面において光軸Ｍ（図２(Ａ)）が通る点である。
【００２６】
また、バー３０…３０の長手方向と交差するケーシング１の側面部に対し、最も当該側面部寄りに配置されたバー３０において、このバー３０が備える最も当該側面部寄りに配置された高輝度ＬＥＤ３２の中心と、当該側面部との間の間隔（以下必要に応じて第２間隔ｔ２と呼ぶ。）を、このバー３０のＬＥＤ間間隔ｔの１．５倍以下とする。具体的には、図１（Ａ）へ示すように、上方のバー群に属するバー３０の最上部に配列された高輝度ＬＥＤ３２の中心と、上側面部１４ｃ内面との間隔ｔ２は、このバー３０のＬＥＤ間間隔ｔの１．５倍以下とする。同様に、下方のバー群に属するバー３０の最下部に配列された高輝度ＬＥＤ３２の中心と、下側面部１４ｄの内面との第２間隔ｔ２も、バー３０のＬＥＤ間間隔ｔの１．５倍以下とする。第２間隔ｔ２がＬＥＤ間間隔ｔの１．５倍を越えると、広告面の他の部位に比べ、バー３０と交差する枠体１４の側面部付近が、著しく暗くなることが視認された。
【００２７】
この実施の形態では、図２（Ａ）へ示す通り、ケーシング１内において、一つの広告面に向け、上記のバー３０…３０が複数（上下２本づつ）並べられ、高輝度ＬＥＤ３２と当該高輝度ＬＥＤ３２が照射する広告面との間の間隔ｔ３（以下、必要に応じて第３間隔ｔ３と呼ぶ。）は、当該高輝度ＬＥＤ３２が設けられたバー３０において複数の高輝度ＬＥＤ３２…３２がなす列（図１（Ａ）において一点鎖線にて示す。）と、当該バー３０と隣り合うバー３０の複数の高輝度ＬＥＤ３２…３２とがなす列（図１（Ａ）において一点鎖線にて示す。）の、両列間の間隔ｔ４（以下必要に応じて列間間隔ｔ４と呼ぶ。）の０．４倍以上０．７５倍以下とする。図１（Ａ）において、高輝度ＬＥＤ３２…３２の上記各列を一点鎖線にて示す。この一点鎖線上に、当該バー３０の各高輝度ＬＥＤ３２…３２の中心が位置する。
詳しくは、図２（Ａ）へ示す通り、正面部１２内面と各正面照射バー３０ａの高輝度ＬＥＤ３２との間の間隔ｔ３を、上記列間間隔ｔ４の０．４倍以上０．７５倍以下とする。第３間隔ｔ３が列間間隔ｔ４の０．４倍未満であると、広告面の他の部分に比べて、広告面の光軸Ｍが通る付近が極端に明るくなることが確認され、逆に第３間隔ｔ３が列間間隔ｔ４の０．７５倍を越えると、広告面全体が極端に暗くなることが視認された。尚、正面照射バー３０ａと背中合わせに配されることにより、背面照射バー３０ｂについても、第３間隔ｔ３は、列間間隔ｔ４の０．４倍以上０．７５倍以下とするのが適する。
【００２８】
正面部１２内面と背面部１３内面との間隔を２００ｍｍとする薄型として一般的な両面突き出し看板では、列間間隔ｔ４を２００ｍｍとし、正面照射バー３０ａの高輝度ＬＥＤ３２（頂点）と正面部１２内面との間隔を約９０ｍｍとし、背面照射バー３０ｂの高輝度ＬＥＤ３２（頂点）と背面部１３内面との間隔も９０ｍｍとするのが最適である。また、高輝度ＬＥＤ３２の照射角θを１６０度とし各バーの高輝度ＬＥＤ３２，３２同士の中心間の間隔を２００ｍｍとする上記のルクフルＶを用いるとすると、第１間隔ｔ１及び第２間隔ｔ２の夫々を、３００ｍｍ以下とするのが望ましい。
【００２９】
また、図１（Ａ）へ示すケーシング１内にて、最も枠体１４の左側面部１４ａ寄りに位置するバー３０と当該左側面部１４ａとの間、ケーシング１内にて最も枠体１４の右側面部１４ｂ寄りに位置するバー３０と当該右側面部１４ｂとの間の夫々に、ケーシング１内の前後に光を通すことができる隙間を確保し、更に、左右方向に複数のバーが配列された看板において、隣り合う当該左右のバー３０，３０間にも隙間を確保するのが好ましい。正面照射バー３０ａから照射され正面部１２内面にて反射した間接光が当該隙間から背面部１３側へ通され、逆に、背面照射バー３０ｂから照射され背面部１３内面にて反射した間接光が当該隙間から正面部１２側へ通され、各広告面に生じる明暗のムラをより緩和することができる。隣り合うバー間の上記隙間は、バーの高輝度ＬＥＤが設けられた面において、バーの長手方向と直交する方向の幅の０．５〜７倍とするのが好ましい。上記隙間がバーの当該幅の０．５倍未満では、反射光による明暗のムラの緩和が視認できず、また、バーの当該幅の７倍を超えると同一方向を向くバー間に暗部が視認された。但し、前述の各間隔ｔ，ｔ１〜ｔ４の設定に従えば、上記隙間は必ずしも必要ではない。例えば、正面照射バーと背面照射バーとの間にケーシング１内部を前後に画する間仕切りが設けられ、前後に反射光が通らないものとするものでもよい。尚、上記各間隔ｔ，ｔ１〜ｔ４設定を満たせば、バー３０…３０同士全て平行とするものに限定するものではない。
【００３０】
図１（Ｄ）へ、上下各バー群の正面照射バー３０ａを１本づつとし、同様に、上下各バー群の背面照射バー３０ｂを1本づつとする、合計４本のバー３０…３０を備えた看板を例示する。この図１（Ｄ）に示す看板においても、上記の各間隔ｔ，ｔ１，ｔ２の設定は、図１（Ａ）へ示す看板と同様である。但し、上記の第３間隔ｔ３については、ＬＥＤ間間隔ｔの０．４倍以上２倍以下とする。尚この看板では、正面背面の夫々において、左右についてバー３０は１本のみであり、最も枠体１４の左側面部１４ａ寄りのバー３０と最も右側面部１４ｂ寄りのバー３０は、同一のバー３０である。
【００３１】
図１（Ｅ）（Ｆ）に示すように、片面のみ広告面を備える片面式の内照式看板について本願考案を実施できる。この看板の背面部１３は、枠体１４に設けられた金属板であり、当該背面部１３へ直接バー３０，３０が設けられる。各バー３０は、左右横方向へ伸びるように配列されており、各間隔ｔ、ｔ１〜ｔ４は、図１（Ａ）に示すものと上下が左右に入れ替わるが、その設定範囲は、図１（Ａ）〜（Ｄ）へ示すものと同様である。
尚、片面にのみ広告面を備える片面式のものでは、前記２０Ｗ蛍光灯１本を、ルクフルＶの「バー３」１枚で置き換えるものであり、１−（６／２４）＝０．７５となり７５％の省エネルギー効果がある。前記３０Ｗ蛍光灯１本を「バー４」１枚で置き換えると、同様の計算にて７８％の省エネルギー効果がある。前記３２Ｗ蛍光灯１本を「バー５」１枚で置き換えると７４％の省エネルギー効果がある。前記４０Ｗ蛍光灯１本を「バー６」１枚で置き換えると７６％の省エネルギー効果がある。
【００３２】
図３及び図４（Ｂ）（Ｃ）へ、正面・背面の両面を広告表示部とする両面式看板であって、各バーが左右横方向へ伸びるよう配列されたものを示す。
この実施の形態において、背中合わせにされる1対の正面照射バー３０ａと背面照射バー３０ｂとは、ネジやボルト、接着などの固定手段により、バー同士が直接背中合わせに固定されている。尚、第3間隔ｔ３を前述の通り設定するため、必要に応じ、１対の正面照射バー３０ａと背面照射バー３０ｂとの間にスペーサ（図示しない。）を介して、両バー３０ａ，３０ｂを固定するものとしてもよい。
【００３３】
この看板では、上記の支持体１５…１５は、左右の側面部１４ａ，１４ｂに設けられており、各バー３０の対の左右両端を枠体１４へ固定する。各バー３０の両端には、ネジやボルトなどの周知の固定具によって、支持体１５…１５へ取り付ける取付部材３５が設けられる。取付部材３５は、左右方向へ向けられた光を遮らないように看板の前後方向について厚みの薄い、薄板状に形成される。
【００３４】
新設する看板の他、既設の蛍光灯を光源とする看板について本願考案を実施できる。光源の蛍光灯以外図３へ示す看板と同じ形態の既設の看板について、メンテナンス時に蛍光灯を高輝度ＬＥＤに置き換えるものとして、その手順について説明する。
図４（Ａ）へ示す通り、先ず、既設の看板の正面部１２及び背面部１３を開き、ソケットｓを備えたホルダｈごと蛍光灯ｐをケーシング１から取り外す。蛍光灯の電源部２もケーシングから取り除く。図４（Ｂ）へ示す通り、別途高輝度ＬＥＤ用の電源器２０をケーシング１内へ取り付ける。そして、正背面背中合わせの各バー３０の対をケーシング１内に設置する。各バー３０の対の両端には、前述の通り、支持体１５へバー３０，３０の対を固定するための取付部材３５，３５が設けられている。この例では、蛍光灯のホルダを支持していた受け部は、そのままケーシング１に残され、上記の支持体１５として利用される。上記受け部を利用して、正背面のバー３０，３０の対を蛍光灯ｐが設けられていた位置に配置するため、図３（Ｂ）へ示す一体にされた1対のバー３０，３０の両端に、前述の取付部材３５が設けられる。この取付部材３５は、バー３０，３０の対端部にネジ止めされて当該バーの対の両端からバー３０の長手方向に突出する突出部３５ａと、突出部３５ａから当該突出部３５ａの伸びる方向と交差する方向に伸びる腕部３５ｂと、腕部３５ｂの先端に設けられた設置部３５ｃとを備える。設置部３５ｃは上記支持体１５をなす受け部の上面に対面し、図４（Ｃ）へ示す通り受け部の上面に重ねられて、ネジやボルトなどの周知の固定具にて固定される。腕部３５ｂの寸法設定により、前述の各間隔ｔ，ｔ１〜ｔ４の関係を充足するように、バー３０をケーシング１内に配置することができる。
【００３５】
背中合わせにされた一対のバー３０，３０（正面照射バー３０ａと背面照射バー３０ｂ）は、図示の通り蛍光灯ｐと同数の対が用意され蛍光灯と置き換えられる。前述の各間隔ｔ１〜ｔ４の範囲を逸脱しない限り、蛍光灯の配置と極力一致させることにより、蛍光灯の周辺の物理的な配置を変更せずに済む。また、蛍光灯に代えて同数のバー３０，３０の対を配置することにより、蛍光灯に比して、その約半分のエネルギーでムラの少ない広告面の照明ができ、蛍光灯の２０〜３０％減の省エネルギー効果しか得られない直管蛍光灯形のＬＥＤユニットに対し、大幅な改善を可能とした。
本願考案は、地面又は床に置かれる自立型やポールサインなどの地面に固定される内照式看板などにおいても実施できる。建造物の壁面に設置するファサードサインと呼ばれるものにも、本願考案を実施することも可能である。屋内の壁面に設置する、ファーストフード店のカウンター付近の壁面に設けられたメニューなどを表示する屋内壁面型のものについて本願考案を実施することもでき、屋上に設置されるサインにも実施できる。
【符号の説明】
【００３６】
１  ケーシング
２  電源部
３  光源
３０  バー
【図１】
0003164102.tif 000003
【図２】
0003164102.tif 000004
【図３】
0003164102.tif 000005
【図４】
0003164102.tif 000006